(57)【要約】【課題】  人や動物，植物，微生物等の生物の生理を活性化し、生命の維持や成長の促進、健康の増進を図る。【解決手段】  シート状基材２の一側面にコーティング層３を溶射し、その外側を被覆層４で密封して、健康維持カード１を形成する。コーティング層３を、第１層３ａ，第２層３ｂ，第３層３ｃ，第４層３ｄの４層構造とする。第１層３ａ〜第４層３ｄに、鉄（Ｆｅ），亜鉛（Ｚｎ），銅（Ｃｕ），マンガン（Ｍｎ），ニッケル（Ｎｉ），Ｃｏ（コバルト），モリブデン（Ｍｏ），セレン（Ｓｅ），クロム（Ｃｒ），スズ（Ｓｎ），ヨウ素（Ｉ），バナジウム（Ｖ），ヒ素（Ａｓ），フッ素（Ｆ），ケイ素（Ｓｉ）の少なくとも８種類の必須微量元素と、セラミックスやトルマリン等の遠赤外線放射材とを用いる。必要に応じて、ゲルマニウム（Ｇｅ）や酸化チタン（ＴｉＯ２），銀（Ａｇ）のいずれか１つまたは複数を追加する。【選択図】  図１
2005253934.tif 000002
【特許請求の範囲】
【請求項１】
基材の表面に、必須微量元素である鉄，亜鉛，銅，マンガン，ニッケル，コバルト，モリブデン，セレン，クロム，スズ，ヨウ素，バナジウム，ヒ素，フッ素，ケイ素のうちの少なくとも半数と、遠赤外線放射材とを含むコーティング層を形成してなる生物生理活性用担体。
【請求項２】
前記コーティング層を複数積層し、基材側のコーティング層には低融点の元素を配設し、外側のコーティング層に向かうにしたがって、順次高融点の元素を配設したことを特徴とする請求項１に記載の生物生理活性用担体。
【請求項３】
前期基材がシート状であることを特徴とする請求項１または２に記載の生物生理活性用担体。
【請求項４】
シート状基材の内部に、必須微量元素である鉄，亜鉛，銅，マンガン，ニッケル，コバルト，モリブデン，セレン，クロム，スズ，ヨウ素，バナジウム，ヒ素，フッ素，ケイ素のうちの少なくとも半数と、遠赤外線放射材とを含ませてなる生物生理活性用担体。
【請求項５】
必須微量元素である鉄，亜鉛，銅，マンガン，ニッケル，コバルト，モリブデン，セレン，クロム，スズ，ヨウ素，バナジウム，ヒ素，フッ素，ケイ素のうちの少なくとも半数と、遠赤外線放射材とを密封体の内部に封入し、該密封体を外装体の内部に収容してなる生物生理活性用担体。
【請求項６】
前記コーティング層または前記シート状基材内部または前記密封体内部に、ゲルマニウムが含まれていることを特徴とする請求項１〜５のいずれかに記載の生物生理活性用担体。
【請求項７】
前記コーティング層または前記シート状基材内部または前記密封体内部に、酸化チタンが含まれていることを特徴とする請求項１〜６のいずれかに記載の生物生理活性用担体。
【請求項８】
前記コーティング層または前記シート状基材内部または前記密封体内部に、銀が含まれていることを特徴とする請求項１〜７のいずれかに記載の生物生理活性用担体。
【発明の詳細な説明】
【技術分野】
【０００１】  本発明は、生物の生理を活性化して、人や動物，植物，微生物等の生命の維持や成長の促進、健康の増進を図ることのできる生物生理活性用担体に係り、例えば、アクセサリ等の装身具、眼鏡や腕時計、ベルト等の身の回り品、エアコンディショナ、空気清浄機、浄水器、浴槽、鍋釜等の調理用具、食器、壁紙や天井材等の内装建材、絵画やモビール等の室内装飾品、美術品、敷物、ペットの首輪や畜舎，鳥かご，水槽等のペット用品、植木鉢等の植物用品に適用可能な生物生理活性用担体に関する。
【背景技術】
【０００２】  ネックレスやブレスレット等の装身具では、材料の一部または全部を磁性体やチタン，酸化チタンで形成して、着用者がこの装身具を身につけることにより、血流量を増加させて、体内細胞を活性化するようにしたものが知られている。しかし、このような磁気装身具やチタン装身具の効能は、血行不良を起因とする肩こりなどの肉体疲労を軽減する程度のものにすぎなかった。【０００３】  ところで、人間に限らず、動植物や微生物がその生命を維持するには、ミネラルとも呼ばれる複数種類の微量元素が不可欠とされているが、これらの必須微量元素は、生体組織にきわめて微量しか存在しないため、食物からの摂取が欠かせない。しかし、生活の多様化した現代人の多くは、食物から必須微量元素を充分に摂ることができず、加えて、食品添加物の摂取や内外のストレス、生活リズムの崩れ等が重なり、多くの現代病を抱える原因となっている。【０００４】  例えば鉄分（Ｆｅ）が欠乏すると、貧血の発症や感染抵抗力の減退を招くことは広く知られており、また近年問題となっている味覚や嗅覚障害、食欲減退等の症状は、亜鉛（Ｚｎ）の欠乏が原因といわれている。このように、必須微量元素の不足が原因で発症する病気は、表１に示すごとく少なくない。【０００５】  そこで、周期表中の少なくとも１つの元素、またはこの元素の化合物でコーティングされた担体材料からなり、前記元素が生体内において元素の形または結合した形で存在するコーテド担体を形成したものが提案されており、このコーテド担体を生体の皮膚につけたときに、生体内の必要元素が欠乏している場合は、その元素が皮膚を通して生体内に吸収され、欠乏元素を補って、生体の診断や治療に役立つとしている。（特許文献１）
【特許文献１】  特開平６−２１１６９７号公報
【発明の開示】
【発明が解決しようとする課題】
【０００６】  上述の先行技術では、周期表中の元素のうち、特に、マグネシウム，アルミニウム，クロム，マンガン，鉄，ニッケル，リチウム，カドミウム，バナジウム，チタン，スズ，ストロンチウム，銅，亜鉛，ゲルマニウム，セレン，モリブデン，銀，ビスマス，鉛または金を用いるとしているが、周期表中の元素の少なくとも１つを用いればよいのであれば、鉄や銅などの金属、アルミニウムなどの非鉄金属の表面に、クロムやニッケル，チタンをコーティングした製品、例えばネックレスやブレスレット等のアクセサリがこれに相当し、このような物は旧来から広く知れている。【０００７】  また、コーテド担体に１〜２種類程度の元素を用いるのでは、生体の診断や治療にさほど役立つとは考えにくく、仮に役立つとしてもコーティングした元素のみの効果に限られ、生物の生理を充分に活性化するものではない。【０００８】
【表１】
2005253934.tif 000003
【０００９】  そこで本発明は、生物の生理を充分に活性化して、人や動物，植物，微生物等の生命の維持や成長の促進、健康の増進を図ることのできる生物生理活性用担体を提供することを目的としている。
【課題を解決するための手段】
【００１０】  上述の目的を達成するため、第１発明の生物生理活性用担体は、基材の表面に、必須微量元素である鉄（Ｆｅ），亜鉛（Ｚｎ），銅（Ｃｕ），マンガン（Ｍｎ），ニッケル（Ｎｉ），Ｃｏ（コバルト），モリブデン（Ｍｏ），セレン（Ｓｅ），クロム（Ｃｒ），スズ（Ｓｎ），ヨウ素（Ｉ），バナジウム（Ｖ），ヒ素（Ａｓ），フッ素（Ｆ），ケイ素（Ｓｉ）のうちの少なくとも半数と、遠赤外線放射材とを含むコーティング層を形成する。【００１１】  第１発明に用いる基材として、金属，非鉄金属，合成樹脂，木，石，紙，布地，ガラス等があり、その形状には平面的や立体的なものが含まれる。必須微量元素として用いる種類は、半数を超える８種類〜１５種類全部の間で任意であり、粉体または粒体の形で用いるとよい。これらの必須微量元素は、酸化物や窒化物，炭化物，ケイ化物，硼（ほう）化物であってもよい。必須微量元素の配合割合は、表１に示す一日の必要量を参酌して決定するとよい。遠赤外線放射材としては、セラミックスやトルマリン等がある。さらに、セラミックスの種類としては、アルミナ，アルミナ・クロミナ，アルミナ・シリカ，マグネシア・シリカ，フェライト・クロミナ，ジルコニア・シリカ，アルミナ・チタニア等があり、中でもアルミナ・クロミナやアルミナ・シリカ，アルミナ・ジルコニアは遠赤外線の放射量が多いので、使用するに有益である。【００１２】  第１発明におけるコーティング層は、必須微量元素や遠赤外線放射材を粉体化または粒体化して高温で溶融し、これを基材の表面に溶射したり、あるいは必須微量元素や遠赤外線放射材を、一旦粉粒体にしてこれを焼結したものを用いる。なお、第１発明の生物生理活性用担体をラミネートフィルム等で密封すると、耐久性が高まってより好ましい。【００１３】  第１発明の生物生理活性用担体は、例えば、アクセサリ等の装身具，眼鏡や腕時計，ベルト等の身の回り品、エアコンディショナ、空気清浄機、浄水器、浴槽、鍋釜等の調理用具、食器、壁紙や天井材等の内装建材、絵画やモビール等の室内装飾品、美術品、ペットの首輪や畜舎等のペット用品、水槽、植木鉢等、生物が常時使用したり身近な物に用いられる。ポスターやカレンダー，壁紙，敷物等では、物自体を生物生理活性用担体で形成することができる。また、浴槽や水槽，美術品等では、生物生理活性用担体をシート状に形成して、その表面接合して用いる。なお、厚みをさほど持たないポスターやカレンダー，敷物等では、この物自体を生物生理活性用担体で形成することもできる。【００１４】  上記第１発明によれば、必須微量元素と遠赤外線放射材のそれぞれから波動エネルギー（放射エネルギー）が放出され、動物や植物や微生物等の生命の体内に吸収されていく。必須微量元素から放射される波動エネルギーは、８種類〜１５種類と多数であるため、対象となる生物が体内に不足する必須微量元素を補足するのに幅広く対応できる。【００１５】  また、遠赤外線放射材から放射される波動エネルギーは、生命の育成光線とも呼ばれる遠赤外線で、人間を含む動物や植物や微生物に対して生理活性作用と成長促進作用があり、これらの生物が体内に吸収することによって、細胞の活性化や新陳代謝の促進，組織再生能力の促進，免疫力の向上効果がある。また遠赤外線は、保温や脱臭，防菌，防湿，水質浄化等の環境改善に役立つ。さらに、必須微量元素と遠赤外線放射材から放射される波動エネルギーは、無機質である空気や水にも直接的または間接的に作用する。【００１６】  生物生理活性用担体の対象が人間や動物の場合に、必須微量元素と遠赤外線放射材から放射される波動エネルギーが細胞を活性化し、毛細血管を拡張して血液の循環を促進して、生命の維持や成長の促進、健康の増進を図る。例えば、水槽内の養魚や鑑賞魚に適用した場合には、魚の生理を活性化して育成を促進したり長生きさせることができる。波動エネルギーは水槽内の水にも作用して、水質を長期間良好に維持するので、魚の育成と長寿命化に一層役立つ。また、生物生理活性用担体の対象が植物の場合には、必須微量元素と遠赤外線放射材から放射される波動エネルギーが植物の生理を活性化し、光合成を促進する。例えば、生け花の花器や観葉植物の鉢に適用した場合には、生け花や観葉植物の育成を促進し、また鮮度を長期間よく保持して長持ちさせることができる。【００１７】  第２発明の生物生理活性用担体は、上記第１発明のコーティング層を複数積層し、基材側のコーティング層には低融点の元素を配設し、外側のコーティング層に向かうにしたがって、順次高融点の元素を配設する。【００１８】  第２発明の構成によれば、基材側のコーティング層に融点の低い材料を用いることにより、基材と基材側のコーティング層とがよく馴染むので剥離しにくく、且つ錆の発生を抑制できる。さらに、基材から遠ざかるに連れて、融点の高い材料を用いることにより、各層の間の結着性が高まり、全体的な強度も向上する。したがって、製造された生物生理活性用担体をカッター等で所望の大きさに切断する場合に、破損しにくくなる。【００１９】  第３発明の生物生理活性用担体は、上記第１発明または第２発明において、基材をシート状に形成する。【００２０】  第４発明の生物生理活性用担体は、シート状基材の内部に、必須微量元素である鉄（Ｆｅ），亜鉛（Ｚｎ），銅（Ｃｕ），マンガン（Ｍｎ），ニッケル（Ｎｉ），Ｃｏ（コバルト），モリブデン（Ｍｏ），セレン（Ｓｅ），クロム（Ｃｒ），スズ（Ｓｎ），ヨウ素（Ｉ），バナジウム（Ｖ），ヒ素（Ａｓ），フッ素（Ｆ），ケイ素（Ｓｉ）のうちの少なくとも半数と、遠赤外線放射材とを含ませる。【００２１】  第４発明では、必須微量元素や遠赤外線放射材を、シート状基材に織り込んだり染みこませる。シート状基材として、金属，非鉄金属，合成樹脂，木，石，紙，布地，ガラス等があり、布地では必須微量元素や遠赤外線放射材が折り込みやすく、またシリコンシート等の合成樹脂や紙は染みこませやすい。必須微量元素と遠赤外線放射材には、それぞれ第１発明と同様のものを用いることができ、外側をラミネートフィルム等で密封すると、より好ましい。【００２２】  第４発明の応用例と効果は、それぞれ第１発明と同様であり、様々な物に適用することによって、生物の生理を活性化し、生命を維持し、成長を促進し、健康を増進し、あるいは寿命を延ばすのに役立つ。【００２３】  第５発明の生物生理活性用担体は、必須微量元素である（Ｆｅ），亜鉛（Ｚｎ），��（Ｃｕ），マンガン（Ｍｎ），ニッケル（Ｎｉ），Ｃｏ（コバルト），モリブデン（Ｍｏ），セレン（Ｓｅ），クロム（Ｃｒ），スズ（Ｓｎ），ヨウ素（Ｉ），バナジウム（Ｖ），ヒ素（Ａｓ），フッ素（Ｆ），ケイ素（Ｓｉ）のうちの少なくとも半数と、遠赤外線放射材とを密封体の内部に封入し、該密封体を外装体の内部に収容して形成する。【００２４】  第５発明の必須微量元素と遠赤外線放射材には、それぞれ第１発明と同様のものを用いることができ、外側をラミネートフィルム等で密封すると、より好ましい。密封体や外装体は、軟質材または硬質材のいずれで形成してもよい。また、必須微量元素と遠赤外線放射材は、密封体に収容されるので、粉体や粒体またはこれよりも大きな塊であってもよく、大小不揃いであってもよい。したがって、製作が容易で製造コストを低く抑えることができる。【００２５】  第５発明の生物生理活性用担体は、外側を外装体に被覆される立体的な形状となるため、例えば、アクセサリ等の装身具，眼鏡や腕時計，ベルト等の身の回り品，エアコンディショナ，空気清浄機，浄水器，浴槽，鍋釜等の調理用具，食器，壁紙や天井材等の内装建材，絵画やモビール等の室内装飾品，美術品，ペットの首輪や畜舎，水槽等のペット用品，植木鉢等，生物が常時使用したり身近に使用する物に設けられる。なお、生物生理活性用担体自体を、お守り袋や匂い袋、根付けやキーホルダのマスコットとすることもできる。【００２６】  第５発明の応用例と効果は、それぞれ第１発明と同様であり、様々な物に適用することによって、生物の生理を活性化し、生命を維持し、成長を促進し、健康を増進し、あるいは寿命を延ばすのに役立つ。【００２７】  第６発明の生物生理活性用担体では、前記第１発明〜第５発明のいずれかにおいて、コーティング層またはシート状基材内部または密封体の内部に、ゲルマニウム（Ｇｅ）を含むものとする。【００２８】  第６発明のゲルマニウムは、粉体または粒体もしくはこれよりも粗目に砕いた鉱物の無機ゲルマニウムを用いる。第６発明の応用例と効果は、それぞれ第１発明〜第５発明のいずれかと同様に、様々な物への適用によって、生物の生理を活性化し、生命を維持し、成長を促進し、健康を増進し、あるいは寿命を延ばすのに役立つ。さらに、ゲルマニウムからの波動エネルギーには、生物に対する血行の促進、生体電流の活性化、免疫調整、細胞分化及び新陳代謝の促進、自然治癒力の向上効果がある。したがって、必須微量元素と遠赤外線放射材と相まって、人や動物，植物，微生物等の生物の生理をより活性化し、生命の維持や成長の促進、健康の増進が一層図れる。【００２９】  第７発明の生物生理活性用担体では、前記第１発明〜第６発明のいずれかにおいて、コーティング層またはシート状基材内部または密封体の内部に、酸化チタン（ＴｉＯ２）を含むものとする。【００３０】  第７発明に用いる酸化チタンは二酸化チタンであり、光エネルギー（紫外線）を受けることによって活性酸素を発生させる光触媒として作用する。すなわち、二酸化チタンから発生した活性酸素は、必須微量元素や遠赤外線放射材，ゲルマニウムをより活性化し、これらの反応速度を早めたり波動エネルギーの放射量を増大して、生物に対する生命の維持や成長の促進、健康の増進を増大する。さらにこの光触媒には、空気や水質の浄化、殺菌効果もある。【００３１】  第７発明の応用例と効果は、それぞれ第１発明〜第６発明のいずれかと同様に、様々な物への適用によって、生物の生理を活性化し、生命を維持し、成長を促進し、健康を増進し、あるいは寿命を延ばすのに役立つ。さらに第７発明の二酸化チタンは、必須微量元素と遠赤外線放射材と相まって、生物に対する生命の維持や成長の促進、健康の増進を増大する。【００３２】  なお、酸化チタンは、必須微量元素や遠赤外線放射材，ゲルマニウムの効果をより高めるため、これらよりもできるだけ外側に配置して、光エネルギーをより受けるようにすることが望ましい。【００３３】  第８発明の生物生理活性用担体では、前記第１発明〜第７発明のいずれかにおいて、コーティング層またはシート状基材内部または密封体の内部に、銀（Ａｇ）を含むものとする。【００３４】  第８発明の銀は、粉体または粒体もしくはこれよりも大きな塊状のものが用いられる。第８発明の応用例と効果は、それぞれ第１発明〜第７発明のいずれかと同様に、様々な物への適用によって、生物の生理を活性化し、生命を維持し、成長を促進し、健康を増進し、あるいは寿命を延ばすのに役立つ。また、銀から放射される波動エネルギーは、抗菌・除菌、消臭、保温能力に優れ、血行の促進、免疫調整、細胞分化及び新陳代謝の促進、自然治癒力の向上効果がある。したがって、必須微量元素と遠赤外線放射材，ゲルマニウム，二酸化チタンとともに、人や動物，植物，微生物等の生物の生理をより活性化し、生命の維持や成長の促進、健康の増進が一層図れる。
【発明の効果】
【００３５】  本発明の生物生理活性用担体によれば、人や動物，植物，微生物の生理を活性化し、細胞の活性化や新陳代謝の促進，組織再生能力の促進，免疫力の向上を図って、これら生物の生命を良好に維持したり、成長を促進したり、健康を増進したり、あるいは寿命を延ばすことができるようになる。さらに本発明は、保温や脱臭，防菌，防湿，水質浄化等の環境改善にも役立つ。
【発明を実施するための最良の形態】
【００３６】  以下、本発明の生物生理活性用担体を、着用者の健康維持や増進を主目的としたカードに適用した第１形態例を図１及び図２に基づいて説明する。図中、図１はカードの一部拡大断面図、図２は同じくカードの斜視図である。なお、以下の表２〜表５に示す試験結果は、外部の検査機関に依頼して得たデータである。【００３７】  健康維持や増進を目的としたカード（以下、健康維持カードという）１は、定期券やクレジットカード程度の大きさで、ボール紙等の厚紙や金属薄板等で形成されるシート状基材２と、該シート状基材２の一側面に積層されるコーティング層３と、シート状基材２及びコーティング層３の外側全体を密封して被う被覆層４とからなっている。コーティング層３は、シート状基材２側から順に、第１層３ａ、第２層３ｂ、第３層３ｃ、第４層３ｄの４層構造となっており、コーティング層３の表面層となる第４層３ｄの外面には、このカード１が健康の増進や維持を目的としていることを示す文字５ａや図柄５ｂが描かれている。【００３８】  シート状基材２には、健康維持カード１よりも大きなボール紙等の厚紙や金属薄板等用いられ、その一側面にコーティング層３を溶射したのち、シート状基材２を所要の大きさに切断し、それぞれを被覆層４で密封して健康維持カード１を得る。【００３９】  第１層３ａ〜第４層３ｄには、鉄（Ｆｅ），亜鉛（Ｚｎ），銅（Ｃｕ），マンガン（Ｍｎ），ニッケル（Ｎｉ），Ｃｏ（コバルト），モリブデン（Ｍｏ），セレン（Ｓｅ），クロム（Ｃｒ），スズ（Ｓｎ），ヨウ素（Ｉ），バナジウム（Ｖ），ヒ素（Ａｓ），フッ素（Ｆ），ケイ素（Ｓｉ）の少なくとも半数を越える８種類の必須微量元素と、セラミックスやトルマリン等の遠赤外線放射材とを使用し、必要に応じてゲルマニウム（Ｇｅ）や酸化チタン（ＴｉＯ２），銀（Ａｇ）のいずれか１つまたは複数を追加して、シート状基材２の一側面へ４層に溶射することにより、前述のコーティング層３を構成する。なお、各必須微量元素の配合割合は、体温の上昇と血流量の増加、生体免疫機能の向上のいずれかを目的にするかによって異なるが、表１に示す一日の必要量を参酌して決定される。【００４０】  コーティング層３の材料は、シート状基材２側に融点の低いものを用い、シート状基材２から遠ざかるにしたがって、融点の高いものを用いる。例えば、第１層３ａや第２層３ａ、３ｂに、低融点の亜鉛やスズを用いることにより、シート状基材２とよく馴染んで剥離しにくくなり、錆の発生を抑制できる。また、シート状基材２から遠ざかるに連れて、融点の高い材料を用いることにより、各層の間の結着性が高まり、全体的な強度も向上する。したがって、カード１をカッター等で所要の大きさに切断する場合に、破損しにくくなる。また、表面層である第４層３ｄには、銅（Ｃｕ）や銀（Ａｇ）を化粧材として用いると、質感が高まってかつ美麗である。【００４１】  光触媒を目的とする酸化チタンは、触媒効果を高めるために、外光を受けやすい最外層の第４層３ｄに用いることが望ましい。被覆層４には、透明で且つ防水性のある合成樹脂製のラミネートフィルムを用い、このラミネートフィルムでシート状基材２とコーティング層３の外側全体を密封して覆うことにより、内部への水分の浸入を防ぎながら、コーティング層３表面の文字５ａや図柄５ｂも容易に読み取れる。【００４２】  このように構成される健康維持カード１は、コーティング層３の第１層３ａ〜第４層３ｄに用いた必須微量元素や遠赤外線放射材、あるいはゲルマニウム，酸化チタン，銀のそれぞれから人体に有益な微量のエネルギーを放射する。各波動エネルギーは、衣服や身の回り品の比較や合成樹脂材料を透過するため、着用者が健康維持カード１を直接身につけたり、肌着の上やポケット等のいずれの部位に身につけても体内に吸収されていく。着用者の体内に取り込まれた必須微量元素の波動エネルギーは、着用者に不足する元素を補うのはもちろんのこと、遠赤外線放射材やゲルマニウム，酸化チタン，銀からの波動エネルギーと相まって、体温の上昇や血流量の増加、生体免疫機能を向上して、着用者の健康を維持したり健康を増進する。【００４３】  次に、上記形態例の健康維持カード１に基づいて行った試験例を具体的に説明する。本試験例は以下のＡ、Ｂ、Ｃの３タイプを試験した。タイプＡ〜Ｃのいずれも、シート状基材２を厚紙とし、コーティング層３に必須微量元素とセラミックスとを共通して用い、第１層３ａ〜第４層３ｄの各層の厚さを５０μｍ〜１００μｍの範囲とし、被覆層４として、シート状基材２とコーティング層３の外側全体を合成樹脂製のラミネートフィルムで被覆した。【００４４】  また、各タイプＡ〜Ｃのコーティング層３の成分配合は以下の通りである。
（タイプＡ）
第１層３ａ：亜鉛（Ｚｎ）
第２層３ｂ：鉄（Ｆｅ），マンガン（Ｍｎ），ニッケル（Ｎｉ），Ｃｏ（コバルト），モ            リブデン（Ｍｏ），セレン（Ｓｅ），クロム（Ｃｒ），スズ（Ｓｎ），ヨウ            素（Ｉ），バナジウム（Ｖ），ヒ素（Ａｓ），フッ素（Ｆ），ケイ素（Ｓｉ            ），ゲルマニウム（Ｇｅ），酸化チタン（ＴｉＯ２）
第３層３ｃ：セラミックスとしてジルコニアとアルミナ・クロミナ、ゲルマニウム（Ｇｅ            ）
第４層３ｄ：銅（Ｃｕ），酸化チタン（ＴｉＯ２）
（タイプＢ）
第１層３ａ：亜鉛（Ｚｎ）
第２層３ｂ：鉄（Ｆｅ），マンガン（Ｍｎ），ニッケル（Ｎｉ），Ｃｏ（コバルト），モ            リブデン（Ｍｏ），セレン（Ｓｅ），クロム（Ｃｒ），スズ（ｓｎ），ヨウ            素（Ｉ），バナジウム（Ｖ），ヒ素（Ａｓ），フッ素（Ｆ），ケイ素（Ｓｉ            ），ゲルマニウム（Ｇｅ），酸化チタン（ＴｉＯ２）
第３層３ｃ：ゲルマニウム（Ｇｅ）
第４層３ｄ：銅（Ｃｕ）
（タイプＣ）
第１層３ａ：亜鉛（Ｚｎ）
第２層３ｂ：鉄（Ｆｅ），マンガン（Ｍｎ），ニッケル（Ｎｉ），Ｃｏ（コバルト），モ            リブデン（Ｍｏ），セレン（Ｓｅ），クロム（Ｃｒ），スズ（Ｓｎ），ヨウ            素（Ｉ），バナジウム（Ｖ），ヒ素（Ａｓ），フッ素（Ｆ），ケイ素（Ｓｉ            ），酸化チタン（ＴｉＯ２）
第３層３ｃ：セラミックスとしてジルコニアとアルミナ・クロミナ
第４層３ｄ：銅（Ｃｕ）【００４５】  このように構成される３タイプの健康維持カード１を用いて、それぞれ熱特性試験と血流量試験と生体免疫機能試験とを行った。いずれの試験も、被験者は３２歳の健常な女性である。まず、熱特性試験では、上衣を着用した被験者が室温２５℃の部屋で椅子に腰掛けて、安静状態を１０分間保ったのち、レーザドップラ血流計を用いて被験者の血流量を２０分間測定した。次に、被験者の胸部に直接健康維持カード１のタイプＡ〜Ｃを装着し、レーザドップラ血流計で被験者の血流速度と血流量の変化を２０分間測定、表２〜表４を得た。【００４６】
【表２】
2005253934.tif 000004
【００４７】
【表３】
2005253934.tif 000005
【００４８】  表２は、レーザドップラ血流計で測定したデータをコンピュータ処理して、血流速度と血流量に数値化し、また表３は、表２の血流速度と血流量の平均値の比較を示したもので、血流速度と血流量のいずれも、タイプＡ〜Ｃが未装着よりも高い数値を示した。【００４９】  生体免疫機能試験では、波動測定器としてＱＲＳ（Ｑｕａｎｔｕｍ  Ｒｅｓｏｎａｎｃｅ  Ｓｐｅｃｔｒｏｍｅｔｅｒ）を用い、タイプＡ〜Ｃの波動エネルギーの放射量である波動値を測定した。表４は、健康維持カード１を単体で測定した波動値を示している。【００５０】
【表４】
2005253934.tif 000006
【００５１】  物質自体が持つ波動値は、一般に水道水で０、ミネラル水で２８〜３０程度であり、波動エネルギーの放射量が格段に多いといわれるトルマリン鉱石でも２０、０００台の数値であるのに対し、健康維持カード１のタイプＡ〜Ｃをそれぞれ単体で測定した波動値は、コーティング層３の厚さが数１００μｍ程度であるにもかかわらず、２０，０００台前後とトルマリン鉱石に比べても遜色のない高い値が得られた。【００５２】  このように、健康維持カード１のタイプＡ〜Ｃを装着した場合は、未装着の場合よりも全ての項目で勝った結果となり、健康維持カード１の装着によって、コーティング層３の第１層３ａ〜第４層３ｄに用いた必須微量元素やセラミックス（遠赤外線放射材），ゲルマニウム，酸化チタン，銀から放射される波動エネルギーが被験者の体内に吸収されて、生体免疫機能を高めることが確認できた。【００５３】  次に、本発明をお守りに適用した第２形態例を図３に基づいて説明する。
本形態例のお守り１０は、本発明の外装体となる巾着袋１１と、該巾着袋１１に収容される密封体１２と、該密封体１２内に収容される複数種類の必須微量元素１３と、セラミックス（本発明の遠赤外線放射材）１４，ゲルマニウム１５，酸化チタン１６，銀１７とからなっている。【００５４】  密封体１２には、必須微量元素１３を密閉するために、可撓性の合成樹脂製シート等が用いられ、また必須微量元素１３には、鉄（Ｆｅ），亜鉛（Ｚｎ），銅（Ｃｕ），マンガン（Ｍｎ），ニッケル（Ｎｉ），Ｃｏ（コバルト），モリブデン（Ｍｏ），セレン（Ｓｅ），クロム（Ｃｒ），スズ（Ｓｎ），ヨウ素（Ｉ），バナジウム（Ｖ），ヒ素（Ａｓ），フッ素（Ｆ），ケイ素（Ｓｉ）の１５種類全部か、少なくとも半数を越える８種類以上が用いられる。また、必須微量元素１３とセラミックス（遠赤外線放射材）１４，ゲルマニウム１５，酸化チタン１６，銀１７は、粉体または粒体またはこれよりも大きな塊が用いられる。【００５５】  このように構成されるお守り１０は、例えば衣服のポケットに収容したり首から下げて身につけることにより、お守りとしての本来の役割を担いながら、体温の上昇や血流量の増加、生体免疫機能を向上するので、着用者の健康維持や健康を増進するのに役立つ。【００５６】  なお、本発明の生物生理活性用担体を、装身具や身の回り品として体の部分的な健康維持や健康増進を目的に用いる場合に、その因果関係を医学的な立証以外で証明することは困難である場合が多い。したがって、必須微量元素を少種類で用いるよりは、できるだけ多くの種類を用いることが、着用者の健康維持や健康増進に有効な効果を期待でき、商品的にも汎用性が高まるので好ましい。【００５７】  また本発明は、形態例で示した健康維持や増進を主目的としたカードやお守りに限らず、ネックレスやブレスレット，ペンダント，イヤリング，ブローチ等の装身具、眼鏡，ベルト，キーホルダー，名刺や定期券，プリペイドカードやクレジットカードといった身の回り品のほか、エアコンディショナや空気清浄機、浄水器、浴槽、鍋釜等の調理用具、食器、壁紙や天井材等の内装建材、絵画やモビール等の室内装飾品、美術品、敷物、ペットの首輪や畜舎等のペット用品、水槽、植木鉢等に幅広く適用が可能である。【００５８】  生物生理活性用担体の基材には、金属や非鉄金属，合成樹脂，木，石，紙，布地のいずれか１つまたは複数を併用することができる。基材が、紙や布地は薄く軟質なシート状の場合に、コーティング層を多層に結着したり、内部に含ませることによって、使用に堪えるだけの剛性力が得られる。また、合成樹脂製のシート状基板は、必須微量元素との結着性が低いため、シート状基板とコーティング層との間にアンダーコートを介装するとよい。アンダーコートには、例えば、ステンレス鋼の粉末を主原料とする結合材を用いることにより、シート状基板とコーティング層との結着力が高まる。【００５９】  コーティング層は、第１形態例で示した４層以外の層数であってもよい。必須微量元素や遠赤外線放射材，ゲルマニウム，酸化チタン，銀は、どの層にどれを用いると必ずしも決められているわけではなく、シート状基材の材質や製造方法などの条件によって適宜変更することができ、また、平面的形状または立体的形状の基材の外面に、溶射または塗布によって結着することができる。【００６０】  本発明の生物生理活性用担体が、キーホルダのマスコット人形など、装身具の外装体が内部に空洞を持つ立体的なものの場合には、外装体の内部に、必須微量元素や遠赤外線放射材やゲルマニウム，酸化チタン，銀等を封入した密封体を収容してもよく、あるいは、装身具の外装体が必須微量元素を密封できる構造のものであれば、密封体と外装体とを兼用することもできる。封入体またはこれに代わる外装体は、粉粒体の漏出防止と防水，防塵構造となっていればよく、可撓性材料と剛性材料のいずれを用いてもよい。
【図面の簡単な説明】
【００６１】
【図１】  本発明の第１形態例を示す健康維持カードの一部拡大断面図
【図２】  図１の健康維持カードの斜視図
【図３】  本発明の第２形態例を示すお守りの分解斜視図
【符号の説明】
【００６２】  １…健康維持カード（本発明の生物生理活性用担体）、２…シート状基材、３…コーティング層、３ａ…第１層、３ｂ…第２層、３ｃ…第３層、３ｄ…第４層、４…被覆層、５ａ…文字、５ｂ…図柄、１０…お守り（本発明の生物生理活性用担体）、１１…巾着袋（本発明の外装体）、１２…密封体、１３…複数種類の必須微量元素、１４…セラミックス（本発明の遠赤外線放射材），１５…ゲルマニウム、１６…酸化チタン、１７…銀
【図１】
2005253934.tif 000007
【図２】
2005253934.tif 000008
【図３】
2005253934.tif 000009